(57)【要約】【課題】ファスナー噛合部が極端に短くなることがなく、そのファスナー噛合部に大きな引張力やねじれ力がかかってもファスナーが傷んでしまうということのない鞄用ファスナー構造を提供する。【解決手段】鞄Ｂに配設される開閉ファスナー３に尻合せにして装着した二つのファスナー開閉スライダー４ａ、４ｂの間に、少なくとも二つのファスナー噛合調整スライダー５を介在させたものとしている。【選択図】図２
2016158731.tif 000002
【特許請求の範囲】
【請求項１】
鞄（Ｂ）に配設される開閉ファスナー（３）に尻合せにして装着した二つのファスナー開閉スライダー（４ａ、４ｂ）の間に、少なくとも一つのファスナー噛合調整スライダー（５）を介在させたことを特徴とする鞄用ファスナー構造。
【請求項２】
前記開閉ファスナー（３）は、一対のファスナー体（３ａ、３ｂ）からなり、一方のファスナー体（３ａ）は、前記鞄本体（１）の開口部（１ａ）の周囲に配設されており、もう一方のファスナー体（３ｂ）は、前記蓋体（２）の開口部（２ａ）の周囲に配設されたものとしていることを特徴とする請求項１記載の鞄用ファスナー構造。
【請求項３】
前記ファスナー噛合調整スライダー（５）は、開閉ファスナー（３）の噛み合った噛合歯（６ａ、６ｂ）に嵌め込み可能としたものとし、これら噛合歯（６ａ、６ｂ）から取り外せないようにしていることを特徴とする請求項１記載の鞄用ファスナー構造。
【請求項４】
前記ファスナー噛合調整スライダー（５）は、開閉ファスナー（３）の噛み合った噛合歯（６ａ、６ｂ）に嵌め込み可能なトンネル形状とした通路（５ａ）を有したものとしており、前記噛み合った噛合歯（６ａ、６ｂ）の外側面に形成される係合溝（７）に係わり合う係合部（８）を有したものとしていることを特徴とする請求項１記載の鞄用ファスナー構造。
【請求項５】
前記ファスナー噛合調整スライダー（５）は、鞄（Ｂ）のコーナ部（Ｃ）を移動させることができるようにしていることを特徴とする請求項１記載の鞄用ファスナー構造。
【請求項６】
前記ファスナー噛合調整スライダー（５）は、複数個を連結したものとしていることを特徴とする請求項１記載の鞄用ファスナー構造。
【発明の詳細な説明】
【技術分野】
【０００１】
この発明は、鞄に配設されるファスナーの開閉度を調節して、そのファスナーにかかる引張強度を確保するようにした鞄用ファスナー構造に関するものである。
【背景技術】
【０００２】
従来、鞄に配設されるファスナーの開閉場所を調節して、その鞄の蓋体を開く方向を自由に変更できるようにしたものが存在する。
【０００３】
例えば、スーツケースにおいて、図１０、１１に示したように、そのスーツケースの開口部に装着した蓋体を開く方向を自由に変更できるようにしたものが存在する。
【０００４】
図９、１０に示したスーツケースは、前面に開口部１１を設けたカバン本体１２と、この開口部１１と略同形でこの開口部を開閉する蓋体１３とからなる。このスーツケースにおいて、前記開口部１１及び前記蓋体１３の周縁部分に沿って略エンドレス状にファスナー１４を装着し、このファスナー１４を構成するファスナー体１４ａ、１４ｂの少なくとも一方の端部に止め具１５を設けている。そして、このファスナー１４を開閉するスライダー１６ａ、１６ｂを移動可能に装着し、両スライダー１６ａ、１６ｂ間にファスナー噛合部１７を有するようにしている。前記止め具１５の両側に配したスライダー１６ａ、１６ｂをそれぞれ移動して前記ファスナー噛合部１７の位置を変えて前記蓋体１３を開く方向を自由に変更することができるとしている（特許文献１）。
【０００５】
すなわち、図１０に示した状態から、一方のスライダー１６ａを止め具１５から右方向、すなわち蓋体１３の上辺部を右方向に移動して右側部の上方に位置させる。次に、他方のスライダー１６ｂを止め具１５から蓋体１３の上辺部を左方向に移動させた後、蓋体１３の左側部を下端まで移動し、さらに蓋体１３の下辺部を右方向に移動して前記蓋体１３の右側部の下方に位置させる。すると、図１１に示したように、両スライダー１６ａ、１６ｂ間に位置するファスナー噛合部１７が、開口部１１及び蓋体１３の右側に位置し、他の三方のファスナー１４が開いて蓋体１３は右側方向に開けることができるとしている。
【０００６】
また、図１０に示した状態から、一方のスライダー１６ａを止め具１５から右方向に蓋体１３の上辺部に沿って移動し、さらに蓋体１３の右側部を下端の下辺部まで移動させる。次に、他方のスライダー１６ｂを止め具1 ５から左方向に移動し、さらに蓋体１３の左側部を下端の下辺部まで移動させる。すると、図示していないが、両スライダー１６ａ、１６ｂ間に位置するファスナー噛合部１７は蓋体１３の下辺部に位置し、蓋体１３の他の三方のファスナー１４は開いて離れるため、この蓋体１３は上から下方に開けることができるとしている。
【先行技術文献】
【特許文献】
【０００７】
【特許文献１】実用新案登録第３１２８０４７号公報
【発明の概要】
【発明が解決しようとする課題】
【０００８】
しかしながら、上記従来のスーツケースでは、図１１に示したように、三方のファスナー１４を開いて蓋体１３が右側方向に開いた状態において、両スライダー１６ａ、１６ｂを互いの尻方向に接近するように移動させると、両スライダー１６ａ、１６ｂどうしが尻合わせになり、両スライダー１６ａ、１６ｂ間に位置するファスナー噛合部１７が極端に短くなってしまう。このような状態で、開いた蓋体１３が傾いたりして不安定な状態になると、前記ファスナー噛合部１７に大きな引張力やねじれ力がかかるが、このファスナー噛合部１７が極端に短くなっているので、そのファスナー噛合部１７にかかる引張強度やねじれ強度に耐えられなくなってファスナー１４が傷んでしまうという課題を有していた。
【０００９】
そこで、この発明は、上記従来の課題を解決するためになされたものであり、ファスナー噛合部が極端に短くなることがなく、そのファスナー噛合部に大きな引張力やねじれ力がかかってもファスナーが傷んでしまうということのない鞄用ファスナー構造を提供することを目的とする。
【課題を解決するための手段】
【００１０】
そのため、この発明の鞄用ファスナー構造は、鞄Ｂに配設される開閉ファスナー３に尻合せにして装着した二つのファスナー開閉スライダー４ａ、４ｂの間に、少なくとも一つのファスナー噛合調整スライダー５を介在させたものとしている。
【００１１】
そして、この発明の鞄用ファスナー構造において、前記開閉ファスナー３は、一対のファスナー体３ａ、３ｂからなり、一方のファスナー体３ａは、前記鞄本体１の開口部１ａの周囲に配設されており、もう一方のファスナー体３ｂは、前記蓋体２の開口部２ａの周囲に配設されたものとしている。
【００１２】
さらに、この発明の鞄用ファスナー構造において、前記ファスナー噛合調整スライダー５は、開閉ファスナー３の噛み合った噛合歯６ａ、６ｂに嵌め込み可能としたものとし、これら噛合歯６ａ、６ｂから取り外せないようにしている。
【００１３】
また、この発明の鞄用ファスナー構造において、前記ファスナー噛合調整スライダー５は、開閉ファスナー３の噛み合った噛合歯６ａ、６ｂに嵌め込み可能なトンネル形状とした通路５ａを有したものとしており、前記噛み合った噛合歯６ａ、６ｂの外側面に形成される係合溝７に係わり合う係合部８を有したものとしている。
【００１４】
さらに、この発明の鞄用ファスナー構造において、前記ファスナー噛合調整スライダー５は、鞄Ｂのコーナ部Ｃを移動させることができるようにしている。
【００１５】
また、この発明の鞄用ファスナー構造において、前記ファスナー噛合調整スライダー５は、複数個を連結したものとしている。
【発明の効果】
【００１６】
この発明の鞄用ファスナー構造は、以上に述べたような構成としているので、鞄Ｂに配設される開閉ファスナー３に装着した二つのファスナー開閉スライダー４ａ、４ｂを互いの尻方向に接近するように移動させても、ファスナー開閉スライダー４ａ、４ｂの間に介在させた少なくとも二つのファスナー噛合調整スライダー５によって、これらファスナー開閉スライダー４ａ、４ｂの間に一定の間隔が開き、その間隔によって一定の長さのファスナー噛合部が確保される。
【００１７】
したがって、この発明の鞄用ファスナー構造では、蓋体２を開いた場合などに、この蓋体２が傾いたりして不安定な状態になって、ファスナー噛合部に大きな引張力やねじれ力がかかっても、一定の長さのファスナー噛合部が確保されているので、そのファスナー噛合部にかかる引張力やねじれ力に充分に耐えることができるようになり、開閉ファスナー３が傷んでしまうということはなくなる。
【図面の簡単な説明】
【００１８】
【図１】この発明の鞄用ファスナー構造を備えたスーツケースの蓋体を閉じた状態を示す斜視図である。
【図２】この発明の鞄用ファスナー構造を備えたスーツケースの蓋体を開いた状態を示す斜視図である。
【図３】この発明の鞄用ファスナー構造を備えたスーツケースに配設される開閉ファスナーに装着した二つのファスナー開閉スライダーを互いの尻方向に接近するように移動させた状態を示す斜視図である。
【図４】この発明の鞄用ファスナー構造の一実施形態の要部を平面視した状態の説明図である。
【図５】図４に示すこの発明の鞄用ファスナー構造のファスナー噛合調整スライダーを側面視した状態の説明図である。
【図６】図４中のＡ−Ａによるこの発明の鞄用ファスナー構造のファスナー噛合調整スライダーの断面図であり、（ａ）はその一例を示しており、（ｂ）はその他の例を示している。
【図７】この発明の鞄用ファスナー構造の他の実施形態の要部を平面視した状態の説明図である。
【図８】図７に示すこの発明の鞄用ファスナー構造のファスナー噛合調整スライダーを側面視した状態の説明図である。
【図９】図７中のＢ−Ｂによるこの発明の鞄用ファスナー構造のファスナー噛合調整スライダーの断面図であり、（ａ）はその一例を示しており、（ｂ）はその他の例を示している。
【図１０】従来の鞄用ファスナー構造を備えたスーツケースの蓋体を閉じた状態を示す斜視図である。
【図１１】従来の鞄用ファスナー構造を備えたスーツケースの蓋体を開いた状態を示す斜視図である。
【発明を実施するための形態】
【００１９】
以下、この発明の鞄用ファスナー構造を実施するための形態を、図面に基づいて詳細に説明する。
【００２０】
この発明の鞄用ファスナー構造は、図１〜３に示したように、スーツケース等の鞄に配設される開閉ファスナーに用いられる。
【００２１】
スーツケースとした鞄Ｂは、図示したように、それぞれ箱状とした鞄本体１と蓋体２により構成され、全周には開閉ファスナー３が配設されている。この開閉ファスナー３は、一対のファスナー体３ａ、３ｂからなり、尻合わせにした二つのファスナー開閉スライダー４ａ、４ｂにより開閉操作される。一方のファスナー体３ａは、前記鞄本体１の開口部１ａの周囲に配設されており、もう一方のファスナー体３ｂは、前記蓋体２の開口部２ａの周囲に配設されている。
【００２２】
前記スーツケースとした鞄Ｂにおいて、この発明の鞄用ファスナー構造は、前記鞄Ｂの全周に配設される開閉ファスナー３に尻合せにして装着した二つのファスナー開閉スライダー４ａ、４ｂの間に、二つのファスナー噛合調整スライダー５を介在させたものとしている。なお、図示したものでは、前記ファスナー開閉スライダー４ａ、４ｂの間に、二つのファスナー噛合調整スライダー５を介在させたものとしているが、三つ以上のファスナー噛合調整スライダー５を介在させたものとしてもよく、少なくとも一つ以上のファスナー噛合調整スライダー５を介在させたものとしておればよい。
【００２３】
前記鞄Ｂは、図示したものでは、鞄本体１、蓋体２ともに合成樹脂で作製されているが、布地等の他の素材によって作製したものとしてもよい。鞄本体１と蓋体２は、略同じ深さにした箱状に形成しているが、蓋体２は、鞄本体１より浅くした箱状に形成しても、または平板状に形成してもよい。さらに、前記鞄Ｂは、スーツケースのような大型の鞄ではなく、小型の鞄であってもよい。
【００２４】
前記開閉ファスナー３を構成するファスナー体３ａ、３ｂは、合成樹脂や金属で作製された複数の噛合歯６ａ、６ｂを前記ファスナー開閉スライダー４ａ、４ｂの移動によって、噛合したり分離したりすることにより、開閉操作されるようにしている。すなわち、前記ファスナー開閉スライダー４ａ、４ｂをその尻部ｅ方向に移動させたときに、前記噛合歯６ａ、６ｂどうしが分離して開くようにし、前記ファスナー開閉スライダー４ａ、４ｂをその頭部ｈ方向に移動させたときに、前記噛合歯６ａ、６ｂどうしが噛み合って閉じるようにしている。
【００２５】
前記ファスナー噛合調整スライダー５は、合成樹脂や金属で作製されており、図６（ａ）（ｂ）、図９（ａ）（ｂ）に示したように、前記噛み合った噛合歯６ａ、６ｂに嵌め込み可能なトンネル形状とした通路５ａを有したものとしており、前記噛み合った噛合歯６ａ、６ｂの外側面に形成される係合溝７に係わり合う係合部８を有したものとし、前記噛合歯６ａ、６ｂから取り外せないようにしている。なお、前記ファスナー噛合調整スライダー５は、柔軟性樹脂等で作製することにより、通路５ａを弾力的に拡開できるように構成して、必要に応じて、前記噛み合った噛合歯６ａ、６ｂから取り外せるようにしてもよい。
【００２６】
さらに、前記ファスナー噛合調整スライダー５は、噛み合った噛合歯６ａ、６ｂに嵌め込まれた状態において移動可能であるが、前記ファスナー開閉スライダー４ａ、４ｂより移動しにくいように摩擦抵抗を大きくしたり、移動しやすいように摩擦抵抗を小さくしたりして、前記噛み合った噛合歯６ａ、６ｂに嵌め込まれたものとしてもよい。
【００２７】
また、前記ファスナー噛合調整スライダー５は、鞄Ｂのコーナ部Ｃに配設された開閉ファスナー３を移動させる場合に、鞄Ｂのコーナ部Ｃの曲率半径に応じて、移動させることができる程度の長さに、その全長を調節したものとしている。例えば、前記ファスナー噛合調整スライダー５の全長を、ファスナー開閉スライダー４ａ、４ｂと同程度にするか、これらより短くすれば、移動させるのに問題はない。なお、前記ファスナー噛合調整スライダー５は、柔軟性樹脂等で形成するなどして、その材質や厚みを調節することにより、その全長をより長くしたものとすることもできる。
【００２８】
さらに、前記ファスナー噛合調整スライダー５は、図７、８に示したように、薄肉の柔軟性樹脂等で形成した伸縮ヒンジ９によって複数個（図示したものは二個）を連結したものとすることができる。このようにすれば、そのファスナー噛合調整スライダー５は、全体として長くすることができ、鞄Ｂのコーナ部Ｃの曲率半径に応じて伸縮ヒンジ９が伸縮して曲がるので、その鞄Ｂのコーナ部Ｃに配設された開閉ファスナー３を移動させることができる。なお、前記ファスナー噛合調整スライダー５は、伸縮ヒンジ９に限らず、柔軟性樹脂等で形成した支え棒（図示せず）等により複数個を連結したものとすることもできる。
【００２９】
以上のように構成したこの発明の鞄用ファスナー構造を用いた鞄は、例えば図１に示したように、鞄Ｂの全周に配設された開閉ファスナー３の図中、左側部の上下に適当な間隔をおいて二つのファスナー噛合調整スライダー５を介在させたものとする。
【００３０】
また、前記鞄において、図示していないが、前記二つのファスナー噛合調整スライダー５を移動させることにより、鞄Ｂの全周に配設された開閉ファスナー３の右側部の上下に適当な間隔をおいて二つのファスナー噛合調整スライダー５を介在させたものとしたり、鞄Ｂの全周に配設された開閉ファスナー３の上部または下部の左右に適当な間隔をおいて二つのファスナー噛合調整スライダー５を介在させたものとする。
【００３１】
このようにすると、前記鞄は、例えば図２に示したように、ファスナー開閉スライダー４ａ、４ｂを手指で摘んで、それぞれ二つのファスナー噛合調整スライダー５に突き当たるまで移動させると、蓋体２を開く方向を左右方向または上下方向にというように自由に変更することができるものとなる。
【００３２】
そして、この発明の鞄用ファスナー構造を用いた鞄は、例えば図２に示したような蓋体２を開いた状態から、さらにファスナー開閉スライダー４ａ、４ｂを手指で摘んで互いの尻方向に移動させると、ファスナー噛合調整スライダー５とともに、ファスナー開閉スライダー４ａ、４ｂが互いに接近するが、前記ファスナー噛合調整スライダー５によって、図３に示したように、これらファスナー開閉スライダー４ａ、４ｂの間に一定の間隔Ｇが開き、その間隔Ｇによって一定の長さのファスナー噛合部が確保される。
【００３３】
したがって、この発明の鞄用ファスナー構造では、前記したような状態において、蓋体２が傾いたりして不安定な状態になって、ファスナー噛合部に大きな引張力やねじれ力がかかっても、一定の長さのファスナー噛合部が確保されているので、そのファスナー噛合部にかかる引張力やねじれ力に充分に耐えることができるようになり、開閉ファスナー３が傷んでしまうということはなくなる。
【００３４】
なお、この発明の鞄用ファスナー構造は、鞄Ｂの全周に配設される開閉ファスナーだけではなく、鞄Ｂの側面部に突設したポケット（図示せず）の全周に配設される開閉ファスナーについても、同様に実施することができる。
【符号の説明】
【００３５】
１  鞄本体
１ａ  開口部
２  蓋体
２ａ  開口部
３  開閉ファスナー
３ａ  ファスナー体
３ｂ  ファスナー体
４ａ  ファスナー開閉スライダー
４ｂ  ファスナー開閉スライダー
５  ファスナー噛合調整スライダー
５ａ  通路
６ａ  噛合歯
６ｂ  噛合歯
７  係合溝
８  係合部
Ｂ  鞄
Ｃ  コーナ部
【図１】
2016158731.tif 000003
【図２】
2016158731.tif 000004
【図３】
2016158731.tif 000005
【図４】
2016158731.tif 000006
【図５】
2016158731.tif 000007
【図６】
2016158731.tif 000008
【図７】
2016158731.tif 000009
【図８】
2016158731.tif 000010
【図９】
2016158731.tif 000011
【図１０】
2016158731.tif 000012
【図１１】
2016158731.tif 000013